(57)【要約】【課題】雨水の浸入を確実に防ぐことができるとともに、小屋裏換気において優れ、さらに、軒の出をほとんどない状態にして都市部の狭小敷地に対応することが可能な軒先構造を提供することを目的とする。【解決手段】屋根２は、建物本体１に取り付けられた外壁材１０の厚み分と略同一寸法の軒の出を有し、かつ軒先２ａには、軒先２ａを覆う軒先部材３を備え、軒先部材３は、通気孔３０ａを備えることによって小屋裏空間２ｂと外部とを連通する通気部３０を備え、通気孔３０ａは、軒先部材３と建物本体１との間に形成された隙間４に向かって開口しており、外壁材１０は、この外壁材１０の上下方向に沿って形成され、かつ隙間４に通じる複数の縦溝１０ａを備えた軒先構造。これによって、雨水の浸入を確実に防ぎ、小屋裏換気に優れ、さらに軒の出がほとんどない状態とし、都市部の狭小敷地に対応可能となる。【選択図】図１
2008002227.tif 000002
【特許請求の範囲】
【請求項１】
建物本体上に設けられた屋根の軒先構造において、
前記屋根は、前記建物本体に取り付けられた外壁材の厚み分と略同一寸法の軒の出を有し、かつ軒先には、この軒先に設けられ、前記外壁材の上端部近傍まで垂下することによって軒先を覆う軒先部材を備えており、
前記軒先部材は、通気孔を備えることによって小屋裏空間と外部とを連通する通気部を備え、前記通気孔は、前記軒先部材と建物本体との間に形成された隙間に向かって開口しており、
前記外壁材は、この外壁材の上下方向に沿って形成され、かつ前記隙間に通じる複数の縦溝を備えていることを特徴とする軒先構造。
【請求項２】
請求項１に記載の軒先構造において、
前記軒先部材は、前記通気部の下端部から下方に向かって垂下する水切り片を備えていることを特徴とする軒先構造。
【請求項３】
請求項１または２に記載の軒先構造において、
前記軒先部材は、前記屋根と、この屋根の上面に設けられた屋根葺材との間に差し込まれ、かつ軒先に設けられる雨樋に向かって伸長する屋根水切り部を備えていることを特徴とする軒先構造。
【請求項４】
請求項１〜３のいずれか一項に記載の軒先構造において、
前記建物本体上には、前記屋根を所定角度に支持するための屋根支持部材が所定の間隔を空けて複数設置されており、隣り合う屋根支持部材間が通気経路となっていることを特徴とする軒先構造。
【請求項５】
請求項１〜４のいずれか一項に記載の軒先構造において、
前記屋根の先端に、この屋根の先端に鉛直面を形成するための調整部材が取り付けられており、この調整部材の鉛直面に前記軒先部材が当接固定されていることを特徴とする軒先構造。
【発明の詳細な説明】
【技術分野】
【０００１】
本発明は、建物本体上に設けられた屋根の軒先構造に関する。
【背景技術】
【０００２】
従来、長い軒の出を有する建物の場合、小屋裏等の換気を行うために、例えば軒天井と外壁との境界部に換気孔を設ける技術が知られている（例えば、特許文献１参照）。このように長い軒の出を有する建物の場合は、雨が降って、風による雨水の吹き上げがあっても、長い軒の出により雨水が外壁に達しにくいために、換気孔に雨水が入り込むことが少ない。
【特許文献１】特開２００５−１６３４９０号公報
【発明の開示】
【発明が解決しようとする課題】
【０００３】
ところで都市部等では、建物を建てるための敷地が狭小である場合が多い。このため、上記特許文献１のように長い軒の出を有する建物の場合、軒部が建物の外壁から外側に大きく突出しているので、その敷地内に建物を建てようとすると、軒部を敷地内に納めなくてはならない。その結果、居室が後退してしまうことになり、充分な建築面積を得られない場合があるため、近年では、より軒の出を小さくしたい、軒の出をほとんどない状態にしたいという要望が多い。
【０００４】
しかしながら、ただ単に軒の出を短くした場合、特許文献１に記載のような換気孔の構造では、風による吹き上げがあると、雨水が換気孔から中に入り込む問題があった。一方、このような雨水の浸入を防ぐために換気孔を狭めたりしてしまうと、小屋裏の換気性能の低下を招く場合があった。
そこで、より軒の出を小さくした際にも、雨水の浸入を確実に防ぐことができるとともに、小屋裏の換気性能に優れる技術の開発が望まれていた。
【０００５】
本発明の課題は、雨水の浸入を確実に防ぐことができるとともに、小屋裏換気において優れ、さらに、軒の出をほとんどない状態にして都市部の狭小敷地に対応することが可能な軒先構造を提供することを目的とする。
【課題を解決するための手段】
【０００６】
請求項１に記載の発明は、例えば図１および図２に示すように、建物本体１上に設けられた屋根２の軒先構造において、
前記屋根２は、前記建物本体１に取り付けられた外壁材１０の厚み分と略同一寸法の軒の出を有し、かつ軒先２ａには、この軒先２ａに設けられ、前記外壁材１０の上端部近傍まで垂下することによって軒先２ａを覆う軒先部材３を備えており、
前記軒先部材３は、通気孔３０ａを備えることによって小屋裏空間２ｂと外部とを連通する通気部３０を備え、前記通気孔３０ａは、前記軒先部材３と建物本体１との間に形成された隙間４に向かって開口しており、
前記外壁材１０は、この外壁材１０の上下方向に沿って形成され、かつ前記隙間４に通じる複数の縦溝１０ａを備えていることを特徴とする。
【０００７】
請求項１に記載の発明によれば、前記屋根２は、前記建物本体１に取り付けられた外壁材１０の厚み分と略同一寸法の軒の出を有しているので、軒の出をほとんどない状態にすることができる。したがって、従来とは異なり、居室を後退させることなく充分な建築面積を得ることができ、都市部の狭小敷地に対応することが可能となる。
その上、このように軒の出がほとんどない状態であっても、前記軒先２ａに取り付けられた軒先部材３は、通気孔３０ａを備えることによって小屋裏空間２ｂと外部とを連通する通気部３０を備え、前記通気孔３０ａは、前記軒先部材３と建物本体１との間に形成された隙間４に向かって開口しているので、風の吹き上げが起きた際においても雨水が小屋裏空間２ｂへと浸入することを確実に防ぐことができるとともに、小屋裏換気において優れる。特に、前記外壁材１０は、この外壁材１０の上下方向に沿って形成され、かつ前記隙間４に通じる複数の縦溝１０ａを備えているので、この縦溝１０ａを通じて前記隙間４へと空気が通り、隙間４に通った空気は前記通気孔３０ａを通じて小屋裏空間２ｂへと達する。これによって、小屋裏換気においてより優れる。
【０００８】
請求項２に記載の発明は、例えば図１に示すように、請求項１に記載の軒先構造において、
前記軒先部材３は、前記通気部３０の下端部から下方に向かって垂下する水切り片３１を備えていることを特徴とする。
【０００９】
請求項２に記載の発明によれば、前記軒先部材３が、前記通気部３０の下端部から下方に向かって垂下する水切り片３１を備えているので、この水切り片３１を伝うようにして雨水等の水滴を積極的に下方に落とすことができ、小屋裏空間２ｂへの雨水の浸入をより確実に防ぐことができる。
【００１０】
請求項３に記載の発明は、例えば図１に示すように、請求項１または２に記載の軒先構造において、
前記軒先部材３は、前記屋根２と、この屋根２の上面に設けられた屋根葺材２１との間に差し込まれ、かつ軒先２ａに設けられる雨樋２２に向かって伸長する屋根水切り部３２を備えていることを特徴とする。
【００１１】
請求項３に記載の発明によれば、前記軒先部材３が、前記屋根２と、この屋根２の上面に設けられた屋根葺材２１との間に差し込まれ、かつ軒先２ａに設けられる雨樋２２に向かって伸長する屋根水切り部３２を備えているので、雨水を積極的に雨樋２２へと誘導することができ、小屋裏空間２ｂへの雨水の浸入をさらに確実に防ぐことができる。
【００１２】
請求項４に記載の発明は、例えば図１および図３に示すように、請求項１〜３のいずれか一項に記載の軒先構造において、
前記建物本体１上には、前記屋根２を所定角度に支持するための屋根支持部材５が所定の間隔を空けて複数設置されており、隣り合う屋根支持部材５間が通気経路となっていることを特徴とする。
【００１３】
請求項４に記載の発明によれば、前記建物本体１上に屋根支持部材５が複数設置され、隣り合う屋根支持部材５間が通気経路となっているので、前記通気孔３０ａから流入した空気を、この通気経路を通じて小屋裏の隅々まで行き渡らせることができ、小屋裏換気においてさらに優れる。
【００１４】
請求項５に記載の発明は、例えば図１に示すように、請求項１〜４のいずれか一項に記載の軒先構造において、
前記屋根２の先端に、この屋根２の先端に鉛直面６ａを形成するための調整部材６が取り付けられており、この調整部材６の鉛直面６ａに前記軒先部材３が当接固定されていることを特徴とする。
【００１５】
請求項５に記載の発明によれば、前記屋根２の先端に、この屋根２の先端に鉛直面６ａを形成するための調整部材６が取り付けられており、この調整部材６の鉛直面６ａに前記軒先部材３が当接固定されているので、この軒先部材３を垂直に設けることができる。
そして、このように軒先部材３を垂直に設けることによって、前記軒先部材３と建物本体１との間に形成された前記隙間４を確保することができるので、前記通気孔３０ａから確実に空気を流入させることができ、小屋裏換気においてより一層優れる。
【発明の効果】
【００１６】
本発明によれば、屋根は、建物本体に取り付けられた外壁材の厚み分と略同一寸法の軒の出を有しているので、軒の出をほとんどない状態にすることができる。したがって、従来とは異なり、居室を後退させることなく充分な建築面積を得ることができ、都市部の狭小敷地に対応することが可能となる。
その上、このように軒の出がほとんどない状態であっても、軒先に取り付けられた軒先部材は、通気孔を備えることによって小屋裏空間と外部とを連通する通気部を備え、通気孔は、軒先部材と建物本体との間に形成された隙間に向かって開口しているので、風の吹き上げが起きた際においても雨水が小屋裏空間へと浸入することを確実に防ぐことができるとともに、小屋裏換気において優れる。特に、外壁材は、この外壁材の上下方向に沿って形成され、かつ隙間に通じる複数の縦溝を備えているので、この縦溝を通じて隙間へと空気が通り、隙間に通った空気は通気孔を通じて小屋裏空間へと達する。これによって、小屋裏換気においてより優れる。
【発明を実施するための最良の形態】
【００１７】
以下、図面を参照して本発明に係る軒先構造の実施の形態について説明する。なお、本実施の形態の軒先構造が採用される建物は、予め工場で生産された複数の建物ユニット１および屋根パネル２を現場で組み合わせて建てられるユニット式建物であるが、従来の軸組工法や壁式工法の建物にも適用することができる。
【００１８】
本実施の形態の軒先構造は、図１および図２に示すように、建物本体１上に設けられた屋根２の軒先２ａのものであり、
前記屋根２は、前記建物本体１に取り付けられた外壁材１０の厚み分と略同一寸法の軒の出を有し、かつ軒先２ａには、この軒先２ａに設けられ、前記外壁材１０の上端部近傍まで垂下することによって軒先２ａを覆う軒先部材３を備えており、
前記軒先部材３は、通気孔３０ａを備えることによって小屋裏空間２ｂと外部とを連通する通気部３０を備え、前記通気孔３０ａは、前記軒先部材３と建物本体１との間に形成された隙間４に向かって開口しており、
前記外壁材１０は、この外壁材１０の上下方向に沿って形成され、かつ前記隙間４に通じる複数の縦溝１０ａを備えている。
【００１９】
ここで、本実施の形態の建物本体１は、前記建物ユニット１であり、この建物ユニット１は複数本の柱と上下の梁とを剛接合することによって骨組みが形成されている。
また、図１に示すように、前記上梁１１の上面には、その上梁１１と同一部材の、例えばチャンネル材で形成された小屋パネル１２が載置されている。この小屋パネル１２は、建物ユニット１の平面大きさと同じ大きさに形成されており、上面に、前記パネルフレーム２０を介して屋根パネル２を支持する複数の屋根支持部材５が立設されるようになっている。
【００２０】
さらに、前記小屋パネル１２の外部側端面には、断面視矩形状の角材１３が取付固定されており、この角材１３を介して軒先部材３を建物本体１に固定することができるようになっている。つまり、前記軒先部材３は、この角材１３に対して固定された状態となっている。
【００２１】
前記パネルフレーム２０は、例えば、角筒状部材を枠組みして形成されており、屋根２の傾斜に沿って前記屋根支持部材５に取り付けられている。前記角筒状部材としては、図３に示すように、屋根２を支えるために棟（図示せず）から軒先２ａに渡す垂木部材２３と、この垂木部材２３と直交して軒先２ａに設けられる軒桁部材２４と、この軒桁部材２４と平行に設けられ、前記垂木部材２３と直交する母屋部材２５等が挙げられる。
また、このパネルフレーム２０上には、野地板２６が貼り付けられているとともに、この野地板２６上に屋根葺材２１が設けられた状態となっている。
【００２２】
そして、図１に示すように、このパネルフレーム２０が、前記建物本体１に取り付けられた外壁材１０の厚み分と略同一寸法の軒の出を有した状態となっている。これにより、軒の出をほとんどない状態にすることができるので、従来とは異なり、居室を後退させることなく充分な建築面積を得ることができ、都市部の狭小敷地に対応することが可能となる。
【００２３】
また、前記屋根支持部材５は、図１に示すように、前記小屋パネル１２上面に載地される載置部５１と、この載置部５１上に立設されるとともに、中間部において湾曲するようにして傾斜することによって前記パネルフレーム２０に当接する当接部５２と、この当接部５２を支持し、前記載置部５１上に立設される支持部５３とを備えている。さらに、前記当接部５２には、前記母屋部材２５に形成される孔部（図示せず）に挿し込まれることによって屋根支持部材５と母屋部材２５とを接続する接続ピン５４を備えている。
なお、前記当接部５２の湾曲傾斜角度を予め調節することによって、屋根２の角度を変更することができるようになっている。
【００２４】
そして、この屋根支持部材５は、図３に示すように、前記小屋パネル１２上において、所定の間隔を空けて複数設置されており、隣り合う屋根支持部材５間が通気経路となっている。これにより、前記通気孔３０ａから流入した空気を、この通気経路を通じて小屋裏の隅々まで行き渡らせることができるので、小屋裏換気において優れる。
【００２５】
また、図１に示すように、前記屋根２の先端に、この屋根２の先端に鉛直面６ａを形成するための調整部材６が取り付けられており、この調整部材６の鉛直面６ａに前記軒先部材３が当接固定された状態となっている。さらに詳細に説明すると、この調整部材６は断面視略三角形状に形成されており、一面が鉛直面６ａとなり、一面が前記軒桁部材２４の端面に当接する面となり、一面が下方に向く面となる。
このように調整部材６の鉛直面６ａに前記軒先部材３が当接固定されることで、この軒先部材３を垂直に設けることができ、前記軒先部材３と建物本体１との間に形成された前記隙間４を確保することができるので、前記通気孔３０ａから確実に空気を流入させることができ、小屋裏換気において優れる。
【００２６】
なお、この調整部材６は、屋根２の角度に応じた形状となっている。すなわち、前記屋根支持部材５の当接部５２の湾曲傾斜角度によって屋根２の角度を変更することができるので、屋根２の軒先２ａにおいて鉛直面６ａを形成する際は、三角形の形を適宜変更することによって対応できるようになっている。これによって、どのような屋根２の角度であっても、常に前記軒先部材３と建物本体１との間に形成された前記隙間４を確保することが可能となる。
【００２７】
続いて、前記軒先部材３は、上述したように、通気孔３０ａを備えることによって小屋裏空間２ｂと外部とを連通する通気部３０を備え、前記通気孔３０ａは、前記軒先部材３と建物本体１との間に形成された隙間４に向かって開口している。これによって、軒の出がほとんどない状態であっても、風の吹き上げが起きた際においても雨水が小屋裏空間２ｂへと浸入することを確実に防ぐことができるとともに、小屋裏換気において優れる。
【００２８】
前記通気部３０は、図１に示すように、小屋裏空間２ｂへと通じるように中空状に形成されており、小屋裏空間２ｂに向かって開放する第１中空部３３と、この第１中空部３３の下方において連続して中空状に形成され、前記通気孔３０ａを有する第２中空部３４とを備えている。
そして、この第２中空部３４は、その厚みが、前記第１中空部３３よりも薄くなるように形成されており、これら第１中空部３３の厚みと第２中空部３４の厚みとの差を利用して、前記隙間４が形成されている。
なお、これら第１中空部３３と第２中空部３４とは、外部側の面が面一となるように一体的に形成されており、見映えが良い。
【００２９】
また、この軒先部材３は、前記通気部３０の下端部から下方に向かって垂下する水切り片３１を備えている。なお、この水切り片３１は、前記通気部３０と一体的に形成されており、見映えが良い。
【００３０】
そして、このように前記軒先部材３が、前記通気部３０の下端部から下方に向かって垂下する水切り片３１を備えているので、この水切り片３１を伝うようにして雨水等の水滴を積極的に下方に落とすことができ、小屋裏空間２ｂへの雨水の浸入を確実に防ぐことができる。
【００３１】
さらに、前記軒先部材３は、前記屋根２と、この屋根２の上面に設けられた屋根葺材２１との間に差し込まれ、かつ軒先２ａに設けられる雨樋２２に向かって伸長する屋根水切り部３２を備えている。
なお、前記雨樋２２は、前記調整部材６の鉛直面６ａにおいて前記軒先部材３とともに取付固定された状態となっており、前記屋根葺材２１の延長線上に位置している。なお、この屋根水切り部３２は、前記通気部３０と一体的に形成されている。
【００３２】
そして、このように前記軒先部材３が、前記屋根２と、この屋根２の上面に設けられた屋根葺材２１との間に差し込まれ、かつ軒先２ａに設けられる雨樋２２に向かって伸長する屋根水切り部３２を備えているので、雨水を積極的に雨樋２２へと誘導することができ、小屋裏空間２ｂへの雨水の浸入を確実に防ぐことが可能となる。
【００３３】
なお、本実施の形態の軒先部材３は、鋼製であり、図示はしないが、前記軒桁部材２４に沿って長尺に形成されている。また、図示はしないが、隣り合う軒桁部材２４間には所定の防水処理が施されており、雨水の浸入を確実に防ぐことができるようになっている。
また、軒先部材３によって屋根２の軒先２ａの全周を囲む際において、外壁に、建物側に向かって凹むインナー部１４がある場合は、外壁形状に合わせて複数の軒先部材３を設けても良く、図４に示すように、前記小屋パネル１２に並んでインナー部１４に設けられる軒天パネル１２ａの下部に、複数の換気孔（図示せず）を有する軒天井材２７を設けて換気をとるようにしても良い。
この時、前記軒先部材３と連続して、小屋裏空間２ｂへの雨水の侵入を防ぐための補助軒先部材３ａを設けるようにすることが好ましい。
【００３４】
一方、前記外壁材１０は、図１および図２に示すように、この外壁材１０の上下方向に沿って形成され、かつ前記隙間４に通じる複数の縦溝１０ａを備えている。また、これら複数の縦溝１０ａと直交するようにして複数の横溝１０ｂを形成することによって意匠性の向上を図ることができるので、見映えが良く好ましい。
【００３５】
そして、このように複数の縦溝１０ａを備えることによって、この縦溝１０ａを通じて隙間４へと空気が通り、隙間４に通った空気は通気孔３０ａを通じて小屋裏空間２ｂへと達するので、小屋裏換気においてより優れる。
すなわち、この縦溝１０ａは、外壁材１０の幅方向に沿って、等間隔で複数形成された状態となっているので、外壁に向かって吹き付ける空気をより多くとらえて、前記隙間４へと送り込むことができるようになっている。
【００３６】
本実施の形態によれば、雨水の浸入を確実に防ぐことができるとともに、小屋裏換気において優れ、さらに、軒の出をほとんどない状態にして都市部の狭小敷地に対応することが可能となる。
【図面の簡単な説明】
【００３７】
【図１】本発明に係る軒先構造の実施形態を示す側断面図である。
【図２】外壁材を示す斜視図である。
【図３】パネルフレームおよび屋根支持部材を示す斜視図である。
【図４】インナー部の一例を示す側断面図である。
【符号の説明】
【００３８】
１  建物本体（建物ユニット）
２  屋根（屋根パネル）
２ａ  軒先
３  軒先部材
４  隙間
１０  外壁材
１０ａ  縦溝
３０  通気部
【図１】
2008002227.tif 000003
【図２】
2008002227.tif 000004
【図３】
2008002227.tif 000005
【図４】
2008002227.tif 000006